(57)【要約】【課題】 調剤業務を簡単かつ効率的に行うための支援システムを実現する。【解決手段】 患者情報、医薬品情報、在庫情報、医師情報の各データベースを結合した統合システムとし、Ａ：患者検索確定手段、Ｂ：患者情報参照手段、Ｃ：未登録所定事項登録手段、Ｄ：調剤設計所定事項入力手段、Ｅ：医薬品情報検索手段の各手段を有し、薬剤服用歴情報を２次元マトリックス画面により表示することにより、複雑な患者情報を整理し表示することにより適切な操作が可能なシステムとする。【選択図】図45
2007265444.tif 000002
【特許請求の範囲】
【請求項１】
薬剤師が処方せんと関連する情報を利用していかに調剤するかを計画する調剤設計業務の支援の目的で調剤設計に必要な情報を入出力する入出力装置、医薬品情報データベース、医師情報データベース、患者情報データベース、在庫情報データベースから構成され、
Ａ：患者検索確定手段
Ｂ：患者情報参照手段
Ｃ：未登録所定事項登録手段
Ｄ：調剤設計所定事項入力手段
Ｅ：医薬品情報検索手段の各手段
を有し、前記患者情報参照手段における患者情報は、日付と薬剤の種類の２次元マトリックス画面により表示される薬剤服用歴情報を含む情報であることを特徴とする薬局システム。
【請求項２】
前記Ａ：患者検索確定手段は、患者情報データベースを参照して既登録患者であるかどうか判別し既登録患者であれば前記患者を選択確定し前記患者データを呼び出し、既登録患者ではない場合には所定事項の入力画面を直接呼び出すことが可能であることを特徴とするある特許請求範囲第１項記載の薬局システム。
【請求項３】
前記Ａ：患者検索確定手段は、患者名（漢字、英字、カタカナ）、患者名の別名、保険番号、患者の生年月日、性別、患者の電話番号、患者の住所から選ばれた少なくとも１つを入力することにより必要な患者のデータを呼び出すことが可能であることを特徴とする特許請求範囲第２項記載の薬局システム。
【請求項４】
前記Ａ：患者検索確定手段は、前記患者名（漢字、英字、カタカナ）、患者名の別名、保険番号、患者の生年月日、性別、患者の電話番号、患者の住所から選ばれた１以上の事項を入力することにより、対象となる患者データがリストボックスに表示されることを特徴とする特許請求範囲第３項記載の薬局システム。
【請求項５】
前記Ａ：患者検索確定手段は、前記患者名（漢字、英字、カタカナ）、患者名の別名、保険番号、患者の生年月日、性別、患者の電話番号、患者の住所から選ばれた２以上の事項を入力し、それぞれの事項のＡＮＤをとることにより検索条件を絞り込んだ結果がリストボックスに表示されることを特徴とする特許請求範囲第３項記載の薬局システム。
【請求項６】
前記2次元マトリックス画面においては必要な部分を選択することにより前記薬剤服用歴の詳細情報すなわち選択した過去の調剤設計情報が表示されまた必要に応じて新規調剤設計に転写し利用することを特徴とする特許請求範囲第１項記載の薬局システム。
【請求項７】
必要情報を入出力する端末、患者情報データベース、から構成され、薬剤師が処方せんと関連する情報を利用していかに調剤するかを計画する調剤設計業務の支援のシステムにおける調剤設計画面において、患者を選択し、所定キー操作をすることによりキーイベントドリブンによって該当患者の薬剤服用歴を日付と薬剤の種類の２次元マトリックス画面で直接表示する薬剤服用歴表示手段あるいは特定条件服用歴選択画面を表示する選択画面表示手段及び前記薬剤服用歴選択画面により必要事項を選択する選択手段、前記選択手段により選択された所定薬剤服用歴を表示する所定薬剤服用歴表示手段を有することを特徴とする薬局システム。
【請求項８】
前記薬剤服用歴情報のマトリックスにおいては必要な部分を選択することにより前記薬剤服用歴の詳細情報すなわち選択した過去の調剤設計情報が表示されることを特徴とする特許請求範囲第７項記載の薬局システム。
【請求項９】
前記特定条件服用歴選択画面における選択項目は医師名、医療機関名、診療科目名、薬品名、薬品グループ名、日付から選ばれた少なくとも１つの項目であり、該医師名、医療機関名、診療科目名、薬品名、薬品グループ名、日付のいずれかへの入力により絞り込んだ結果をリストボックスに表示し、前記リストボックスの内容からの選択入力手段あるいは直接入力手段あるいは調剤設計画面で既に入力されている項目をコピーし入力するコピー入力手段を有することを特徴とする特許請求範囲第７項記載の薬局システム。
【発明の詳細な説明】
【技術分野】
【０００１】
本発明は調剤薬局業務の支援システムに係わり、特に調剤に付随して各種情報の利用及び書類が多く発生するがこういった情報、書類に関する業務を2次元マトリクス画面の活用により支援する調剤支援システムに係わる。
【背景技術】
【０００２】
調剤業務においては医療機関で作成された紙の処方せん、薬局にある各種情報から調剤を行う必要があるがこれらの情報を効率的に活用することが難しかった。薬局にある各種情報とは薬剤服用歴（年齢、性、体重、保険、住所電話番号、既往症、副作用歴、アレルギー歴、併用薬、生活習慣、嗜好、家族既往歴、患者心理、コンプライアンスなどからなる患者の個人情報、投薬履歴、服薬指導の履歴、調剤に関連する記録）、医薬品情報（医薬品添付文書、副作用情報、相互作用情報、薬価情報、製品規格情報）、調剤に関わる法的な文書（薬剤師法、薬事法、療養担当規則、健康保険法、麻薬向精神薬取締法、覚醒剤取締法）などである。
【０００３】
従来の調剤支援システムは事務的な業務を遂行することを主目的とし、非薬剤師が取り扱うことを前提として設計されていた。そのため薬剤師の調剤設計を支援する機能は不十分で有ったと言える。
【０００４】
調剤設計業務は様々な情報を利用し、かつ薬剤師が専門的な判断能力を元に入力をすることが求められている。しかしながら従来の調剤支援システムは情報検索参照入力の機能があるものの各業務が有機的に結合しおらず薬局の実務上リアルタイムで必要な業務が遂行できなかった。
【０００５】
調剤業務に係わる各種データの保存そしてそういったデータをの信頼性を保ちつつ不正改ざんに対して十分な対策がうてておらず、またそういった保存されたデータを効率的に検索し必要に応じて取り出すという観点からみても従来の調剤支援システムは弱かった。
【０００６】
同時に調剤業務に係わる各種ミスあるいは各業務の履歴を記録することあるいはこういった記録について真正性などに対する要求を満たすシステムも過去にはなかった。
【発明の開示】
【発明が解決しようとする課題】
【０００７】
ところが昨今薬剤師が調剤に関して法的実務的に求められる情報活動が複雑化し、それにともない調剤業務も効率化を求められるようになってきている。前述したように従来のシステムにおいては調剤業務全体を有機的にかつ効率的に支援するシステムが存在しなかった。調剤関係業務の各機能をコンピュータで支援するシステムはそれぞれの機能のみを支援するシステムのものがほとんどであり、これらの単独機能を有機的に結びつけまた薬剤師が最小の作業量で最大の効果を上げられる調剤業務全体を支援するシステムが待ち望まれていた。
【０００８】
調剤業務の中でも中核をなすのが患者面接業務および調剤設計業務であるが、ここでの業務においては求められ、必要とされる情報活動が複雑となってきているがこれに対応可能なシステムにすればよい。これを実現するためには処方せんから調剤をするわけであるが、患者面接業務、調剤設計業務に必要な情報活動を短時間で効率的に支援するシステムにすればよい。
【０００９】
また薬剤師が行う患者面接業務および調剤設計業務についても処方せんからだけではなく、薬局にある薬剤服用歴（年齢、性、体重、保険、住所電話番号、既往症、副作用歴、アレルギー歴、併用薬、生活習慣、嗜好、家族既往歴、患者心理、コンプライアンスなどからなる患者の個人情報、投薬履歴、服薬指導の履歴、調剤に関連する記録）、医薬品情報（医薬品添付文書、副作用情報、相互作用情報、薬価情報、製品規格情報）、調剤に関わる法的な文書（薬剤師法、薬事法、療養担当規則、健康保険法、麻薬向精神薬取締法、覚醒剤取締法）などの各種情報を活用して行う必要がある。
【００１０】
調剤設計担当者は質の高い薬物治療を実現するために前述の各種情報を効率的に検索参照し、かつ文字情報を直接入力することが求められる。現状のウインドウ関係のシステムでポインティングデバイスを使っているためキーボードのホームポジションから手を離す必要があり薬剤師が効率的な情報検索入力が困難であった。また薬剤師が自由な表現で記録を入力することも難しかった。そこでキーボードのホームポジションから手を離さないで全ての情報を検索および入力が可能なシステムが求められていた。
【００１１】
調剤設計業務においては画面のそれぞれの入力部において必要な入力参照が迅速にできるように入力参照画面を表示する必要がある。よってカーソルが存在する項目から直接必要な検索参照が直接可能なシステムがあればさらに便利なはずである。
【００１２】
調剤設計業務における薬品関係の入力においても医療機関の医師が作成した処方せんには医薬品の名称が商品名あるいは成分名のどちらかで記述されている。同様に量的な点も製品単位量あるいは主成分量のどちらかで記述されている。医薬品の名称がどちらで入力されてもシステム内で適正に表示および演算処理をされれば薬剤師の判断評価の確認ともなりさらに医師がどのように処方を記載したかの記録ともなる。よって医薬品の名称の入力が商品名、成分名のどちらでき同様に量的な入力も製品単位量あるいは主成分量のどちらも対応できるシステムがあれば非常に便利なものとなる。
【００１３】
薬剤師法２５条の２により、薬剤師には調剤した薬剤について適正な使用に必要な情報の提供が義務づけられている。しかしながら、調剤したすべての薬剤について、効能効果、副作用情報、相互作用情報、生活上の注意について調剤の後に即座にもれなく手書き記載もしくは口頭で説明することは事実上困難である。一般的には、一連の調剤や薬歴と関連しない、独立した情報提供システムなどを利用して、予め薬剤毎に登録した患者個々に対して固有化していない前記情報等を定型的かつ一過的な情報として文書化し提供している。
【００１４】
調剤支援のシステムにおいて調剤設計入力と情報提供を一元化し、管理運営を行うことが可能である。調剤設計入力業務の一連として、処方内容、過去の薬歴、患者情報などを判断材料とし、患者に提供する情報を複数の情報から選択または自由に入力することが望まれてきた。そうすることによってその患者にもっとも適した情報を提供することができる。また、固有化が必要とされない情報に関しては、自動的に必要な情報が選択されるため迅速に情報を作成することが可能であって、さらに、過去に提供した情報の内容が薬歴として保管されるシステムであれば、調剤設計入力の際に参照および転写できるため継続性と信頼性の高い情報提供を実現することが可能であるはずである。
【００１５】
薬歴の検索についても従来のシステムにおいては不十分であった。薬歴には、調剤に際して速やかに検索し参照できること、記載内容に一覧性があること、薬歴により調剤内容が再現できる記録であること、最終参照日から3年間保存することの要件が求められている。一般的な手書き（紙）の薬歴では、規模や内容の増加とともに、検索性、一覧性を実現することは困難であった。また、従来のコンピュータシステムの薬歴では、一覧性や保存期間の点で要件を満たすことが困難であった。
【課題を解決するための手段】
【００１６】
以上課題を解決するために本発明においては、以下のシステムを採用した。まず各入力を助ける部分について説明する。本発明のシステムは必要情報を入出力する端末、患者情報データベースから構成されている。そしてそのシステムにおいて薬剤師が処方せんと関連する各種の情報を利用していかに調剤するかを計画する調剤設計業務画面を構成しておく。
【００１７】
各種情報とは薬剤服用歴（患者の個人情報、投薬履歴、服薬指導の履歴、調剤に関連する記録）、医薬品情報（医薬品添付文書、副作用情報、相互作用情報、薬価情報、製品規格情報）、そして調剤に関わる法的な文書（薬剤師法、薬事法、療養担当規則、健康保険法、麻薬向精神薬取締法、覚醒剤取締法）などである。患者の個人情報とは年齢、性、体重、保険、住所電話番号、既往症、副作用歴、アレルギー歴、併用薬、生活習慣、嗜好、家族既往歴、患者心理、コンプライアンスなどを指している。
【００１８】
前述の画面においてはカーソルの位置を常に認識しておりこのカーソルの存在する項目において所定キー操作をするといちいちメニューに戻らずに他の入力画面に切り替えるといったことや所定部分をコピーするといったことなど直接必要な機能を実現できるようなユーザインターフェイス手段を設ければよい。すなわちある画面の特定の項目部の入力をしているときにその項目に関連する情報を参照したいときなどにはカーソルがどこの項目にあるかを調べその項目に関連する情報画面に切り替える処理を各項目別に予め所定のキー操作で処理ができるように登録しておけばよい。そしてシステム内で同一のキー操作を統一しておけばよい。
【００１９】
次に調剤設計支援の部分について方法について説明する。薬剤師が処方せんと関連する情報を利用していかに調剤するかを計画する調剤設計業務の支援の目的で調剤設計に必要な情報を入出力する入出力装置、医薬品情報データベース、医師情報データベース、患者情報データベース、在庫情報データベースから構成され、Ａ：患者検索確定手段Ｂ：患者情報参照手段Ｃ：未登録所定事項登録手段Ｄ：調剤設計所定事項入力手段Ｅ：医薬品情報検索手段の各手段を有していればよい。
【００２０】
前述の患者の検索は患者名（漢字、英字、カタカナ）、患者名の別名、保険番号、患者の生年月日、性別、患者の電話番号、患者の住所から選ばれた少なくとも１つの項目テーブルを作成しておき、前記患者名（漢字、英字、カタカナ）、患者名の別名、保険番号、患者の生年月日、性別、患者の電話番号、患者の住所から選ばれた少なくとも１つを入力することにより必要な患者のデータを呼び出すことが可能なようにしておく。
【００２１】
この患者の検索は前記患者名（漢字、英字、カタカナ）、患者名の別名、保険番号、患者の生年月日、性別、患者の電話番号、患者の住所から選ばれた１つ以上の事項を入力することにより、対象となる患者データがリストボックスに表示されるようにしておいてもよい。あるいは患者名（漢字、英字、カタカナ）、患者名の別名、保険番号、患者の生年月日、性別、患者の電話番号、患者の住所から選ばれた２以上の事項を入力し、それぞれの事項のＡＮＤをとることにより検索条件を絞り込むようにし、この絞込みの結果の患者データ候補がリストボックスに表示されるようにしてもよい。
【００２２】
前述のように既登録患者ではない場合には所定事項の入力画面を検索を中止することなく直接呼び出すようにする。そしてこの登録すべき所定事項は保険給付割合、保険番号、保険記号、扶養者・非扶養者の別、患者名（漢字、英字、カタカナ）、患者名の別名、保険番号、患者の生年月日、性別、患者の電話番号、患者の住所から選ばれた少なくとも１つの事項であり、これをリストボックスに表示するようにすればよい。
【００２３】
この患者情報参照手段における患者情報は薬剤服用歴情報、患者固有情報、薬剤服用歴管理指導内容情報から選ばれた少なくとも１つの情報である。さらに好ましくはこの薬剤服用歴情報は日付と薬剤の種類の２次元マトリックス画面により表示され最新の日付から所定の回数までさかのぼったデータを患者データベースより読み出し表示すればよい。前記所定回数の日付以前の薬剤服用歴情報はキー入力することによりスクロールによりさかのぼって表示すればよい。そしてこの薬剤服用歴情報のマトリックスにおいては必要な部分を選択することにより前記薬剤服用歴の詳細情報すなわち選択した過去の調剤設計情報を表示しまた必要に応じて新規調剤設計に転写し利用するシステムとする。
【００２４】
ここで患者の固有情報は保険給付割合、保険番号、保険記号、扶養者・非扶養者の別、患者名（漢字、英字、カタカナ）、患者名の別名、保険番号、患者の生年月日、性別、患者の電話番号、患者の住所から選ばれた少なくとも１つである。
【００２５】
次に調剤設計を行う上で重要な薬歴検索の効率化の方法について説明する。必要情報を入出力する端末、患者情報データベース、から構成され、薬剤師が処方せんと関連する情報を利用していかに調剤するかを計画する調剤設計業務の支援のシステムにおける調剤設計画面において、患者を選択し、所定キー操作をすることによりキーイベントドリブンによって該当患者の薬剤服用歴表示画面をメニューに戻ることなく直接表示する薬剤服用歴表示手段を設けるそしてこの薬剤服用歴情報は日付と薬剤の種類の２次元マトリックス画面により表示すればさらに分かり易くなる。
【００２６】
この２次元マトリックス表示は１画面に表示できる情報のみを患者情報データベースから読み出し表示するようにする。これは必要情報のみを患者情報データベースから呼び出すためで余分なものを呼び出さないことでスピードを速くするという目的のものである。
【００２７】
この薬歴情報の範囲は最新の日付から所定の回数を読み出し表示するようにすればよい。もちろん必要に応じて１画面に入るような回数を選択すればよい。また所定回数以前の薬剤服用歴情報は所定キー入力することによりスクロールしさかのぼって表示するようにすればよい。この場合はさらにさかのぼって患者情報データベースから呼び出してくる。
【００２８】
この薬剤服用歴情報のマトリックスにおいては必要な部分を選択することにより薬剤服用歴の詳細情報すなわち選択した過去の調剤設計情報が表示すればよい。こうすることによって所定回数より過去の履歴も簡単に見ることが可能となる。
【００２９】
あるいは該当患者の過去の特定の薬剤服用履歴を選択するための特定条件薬剤服用歴選択画面を表示する選択画面表示手段及び服用歴選択画面により必要事項を選択する選択手段、前記選択手段により選択された前述の特定の薬剤服用歴を表示する所定薬剤服用歴表示手段を設けてもよい。
【００３０】
この服用歴選択画面における選択項目は、医療機関名、診療科目名、薬品名、薬品グループ名、日付から選ばれた少なくとも１つの項目であり、リストボックスに表示された内容から選択入力するかあるいは直接入力あるいは調剤設計画面で既に入力されている項目をコピーし入力する入力手段を設けておく。
【００３１】
この選択する所定薬剤服用歴は所定医療機関別調剤設計情報、診療科目別調剤設計情報、薬品別調剤設計情報、薬品グループ別調剤設計情報、所定期間の調剤設計情報から選ばれた情報であればよい。
【発明の効果】
【００３２】
本発明においては、各種の調剤業務に関するデータを統一的に管理できるシステム構成であるため調剤業務の担当者が必要な時に必要な情報を迅速に検索表示活用が可能となる。
【発明を実施するための最良の形態】
【００３３】
以下、図面を参照して本発明の実施形態に係わる薬局システムについて説明していく。図１から図４０は本発明による薬局システムの業務支援画面である。
【００３４】
（調剤設計における入力）
図４１は本発明の調剤設計のフロー図である。調剤設計業務画面においてカーソルの位置を監視している。そして所定のキー入力を検出すると対応する処理が行われる。図７の画面においてはカーソル７０１が患者名入力部７０２にあるために患者氏名のリストボックス７０３が開いている。ここで所定のキー入力ｃｏｎｔｒｏｌＪとキー入力することにより患者リストボックスが広がり図８の画面のように患者氏名だけでなく、生年月日、電話番号、性別が表示されるリストボックスが開く。またｃｏｎｔｒｏｌＲとキー入力することにより図８の画面すなわち患者入力参照画面を表示しカーソルは患者名のふりがなの部分にある。
【００３５】
図９の画面の例では、カーソルは生年月日の所にあり、前述と同様に所定のキー入力ｃｏｎｔｒｏｌＪとキー入力すると図１０に示すように生年月日だけでなく患者名電話番号、性別が表示されるリストボックスが開かれる処理が行われる。同様に電話番号の所にカーソルを持っていけば患者電話番号が図１１に示す画面のように表示される。前述と同様に所定のキー入力ｃｏｎｔｒｏｌＪとキー入力すると図１０に示すよう患者名、生年月日、電話番号、性別が表示されるリストボックスが開かれる処理が行われる。
【００３６】
図１２の画面の例では、カーソルは医師名の所にあり、前述と同様に所定のキー入力ｃｏｎｔｒｏｌＪとキー入力すると図１３に示すように医師名だけでなく医療機関名、科名が表示されるリストボックスが開かれる処理が行われる。
【００３７】
（調剤設計支援のための画面）
図４２は、業務支援のために用意された画面の構成を示している。まず４２０１の業務画面において必要項目を入力すればよい。図１にカーソルがＭＡＧＩＣの部分にある場合、そして図２ではカーソルが受付日の部分にある場合を示しており、それぞれのカーソルがある項目においてソートが行われる。
【００３８】
ここでｃｏｎｔｒｏｌ Ｒと入力すると未入力の調剤設計画面が表示される。またカーソルが存在する部分においてリストボックスから項目名が特定されている場合ｃｏｎｔｒｏｌＣと入力すると調剤設計入力参照画面４２０２に切り替わり先ほど特定された画面が表示される。図３はその一例でありここでは時患者名が新規患者ということである。そしてカーソルが保険選択に主のところにあるので新規患者の保険関係の事項がリストボックスに開かれている。
【００３９】
図４に示すようにカーソルが保険選択に公１のところ４０１にある場合は、関連の事項のリストボックス４０２が表示される。図５、図６はカーソルが薬品のところにある場合である。そしてさらに詳細に調剤する薬品に関して入力する場合は図４２の４２３１の調剤設計明細（処方明細）入力画面において入力する。
【００４０】
前述の未入力の調剤設計画面からｃｏｎｔｒｏｌＲと入力すると図７に示すようにカーソルが患者名のところにある画面が開く。図８はｃｏｎｔｒｏｌＪと入力し患者名と特定しやすくするためにリストボックスに患者氏名、生年月日、自宅電話、性別を表示したところである。図９は同様にカーソルを患者生年月日のところにおいた場合で、その場合リストボックスには生年月日が表示されている。ここでコントロールＪとキー入力すると、図１０に示すようにリストボックスが広がる。
【００４１】
図１１はカーソルが電話−自宅の項目にある場合である。この場合もコントロールＪとキー入力すると、図１０に示すようにリストボックスが広がる。図１２はカーソルが医師名の項目にある場合で医師名のリストボックスが開かれる。同様にこれだけでは選択できない場合にさらにコントロールＪとキー入力することによって図１３のように医師名だけではなく、医療機関名、科名が表示される。
【００４２】
図１４はカーソルが医療機関名の項目に有るときであり、その場合リストボックスに医療機関の一覧が表示される。図１５は科名の項目で同様にリストボックスに科名が表示されここから選択すればよい。
【００４３】
ここで患者が未登録であったり保健関係の登録内容に変更が生じたりする場合には、図４２の４２０３の患者入力参照画面、そこから４２０４の保険入力参照画面あるいは４２０８の保険入力参照画面に画面を切り替えて入力を行えばよい。患者入力参照画面の一例を図１６に示した。同様に処方医に関して未登録であったり登録内容に変更が生じたりする場合は４２０５の処方医入力参照画面に切り替えればよい。処方医入力参照画面の一例を図１７に示した。
【００４４】
また医薬品に関して未登録であったり登録内容に変更が生じたりする場合は図４２の４２０６の医薬品入力参照画面に切り替えればよい。医薬品入力参照画面の一例を図１８に示した。そして医薬品についてさらに詳しく入力する必要が有る場合にはメディス入力参照画面４２０７に画面を切り替えればよい。その画面の一例を図２３に示した。医薬品に関して情報提供を入力する必要が有る場合には４２０９の情報提供入力参照画面に切り替えればよい。情報提供入力参照画面の一例として患者医薬品情報入力参照画面を図１９に示した。
【００４５】
また図４２の４２０２の調剤設計入力参照画面においてその患者の過去の薬歴が知りたい場合には４２１０の前方参照画面に画面を切り替えればよい。ここでは図２０および図２１に過去所定回数分の該当患者の薬歴を各薬品とその調剤日付のマトリックスで示した。図２２は同様なマトリックスを１週間単位で示している画面である。
【００４６】
次にデータファイルメンテナンスを行う必要がある時には４２１１のデータファイルメンテナンス画面に切り替える。ここで図２５はデータファイルメンテナンス画面で医薬品の一般名の項目部にカーソルが有る場合であって、リストボックスに薬効分類番号、英名、和名が表示されている。
【００４７】
図２６は同様にデータファイルメンテナンス画面であり、薬品名の項目部にカーソルが有る場合であって、リストボックスに薬品名が表示されている。そして図２７は図２６の画面のリストボックスをコントロールＪキー入力で広げたものでリストボックス内には薬品名、剤形、メーカー、厚生省コードが表示されている。
【００４８】
図２８はやはり同じ画面でカーソルが剤形の項目の部分にあってリストボックスに剤形が表示されているところである。図２９も同様の画面であって厚生省コードの項目の部分にカーソルがあり、厚生省コードの一覧が表示されているところである。
【００４９】
図３０は納品書のデータファイルメンテナンス画面であり薬局の部分にカーソルがあるために薬局のリストボックスが開いているところである。そしてコントロールＪキー入力でリストボックスを広げたところが図３１でありリストボックス内に薬局名、問屋名、伝票番号、納品日、キャンセル印が表示されている。
【００５０】
図３２も納品書のデータファイルメンテナンス画面であるがカーソルはバーコードの項目部にありバーコードと薬品の諸事項がリストボックスに表示されている。図３３も同様の画面であり、カーソルは注文処理の薬局の項目部にあるためリストボックスには薬局と注文処理の日付、問屋が表示されている。
【００５１】
在庫入力参照したい場合には図４２の４２２８に画面を切り替えればよく図３６に在庫変更の画面を示した。医薬品在庫発注状況を調べるには４２２６の医薬品発注状況表示画面に画面を切り替えればよい。その画面を図３７に示した。能書き情報を参照するには４２２７の能書き情報参照画面に画面を切り替えればよい。その画面は図３８に示した。
【００５２】
（薬剤服用履歴のマトリクス表示）
図４３に薬剤服用履歴情報表示の利用フローを示す。ここでは患者はすでに確定している画面とする。まず４３０１の調剤設計業務画面から所定のキー操作をすることによって４３０２の2次元薬剤服用歴画面にいく。その様子を図２０、図２１に過去７回分の薬剤とその薬剤の調剤情報を2次元マトリックスで表示しており、図２１は薬剤とその薬剤を調剤している期間、図２２に薬剤とその薬剤を調剤している１週間単位での調剤期間を表示しているところ示す。あるいは同様に所定のキー操作によって前方薬剤服用歴選択画面にいく。またここで必要ならば特定の日付を選択することによってリンクから４３０４の該当患者の特定日時の調剤設計画面を呼び出す。
【００５３】
４３０３の特定条件薬剤服用歴選択画面では該当患者の医療機関名、科名あるいは他の医療機関名、科名への変更入力を必要に応じて行う。同様に薬品名あるいは薬品グループを入力する。そして全てのａｎｄをとり検索を行い４３０４の該当患者の特定日時の調剤設計画面４３０４を呼び出す。ここでは患者は特定したが患者を特定せずに薬品及び医療機関名のａｎｄから指定してもよい。
【００５４】
（患者情報のマトリクス表示）
図４４に患者データベース生成のフローを示す。患者との面接データ入力４４０１では、患者との面接時にメモ的に入力した過去のデータや現在面接中の患者を前にしてリアルタイムに今まさに入力しているデータを入力する。単語認識４４０２では、業務に関する用語辞書４４０３を参照して解析を行い、項目判定４４０４においてデータに関連する情報項目、時間を抽出する。判定に成功すると、インデックスの生成５７０６において、抽出された情報項目、時間に基づいてインデックスを生成する。判定に失敗した場合、聞き返し入力４４０５において、予め設定した入力画面をモニター表示してオペレーターの入力した情報項目をインデックスの生成４４０６に送る。データベース登録４４０７では生成したインデックスとデータを関連づけて患者データベース４４０８に登録する。インデックスに用いられる時間は、面接時ならば現在時刻、過去データのメモなら記載日時とする。
【００５５】
図４５は、患者データの呼び出し表示のフローである。データ呼び出し４５０１では、インデックスと関連づけて登録した過去の患者データの呼び出しを行う。患者データベース４５０２は、かんじゃ情報は、患者名をキーとして格納され、時間、情報項目がインデックス情報として付加されている。表生成４５０３では、時間を横軸、情報項目を縦軸にとったマトリックス画面を生成し、表示４５０４にてモニターに表示する。図４６はマトリックス画面の一例である。
【００５６】
このようにして登録された患者情報が表示されることで、登録後に患者と再び面接するときや患者の薬歴を作るときの業務の質と効率がアップする。
【００５７】
以上説明したように本発明によれば、調剤業務の支援において各種の調剤業務に関するデータを統一的に作成・管理できるシステム構成であるため調剤業務の担当者が必要な時に必要な情報を迅速に検索表示活用が可能となる。
【図面の簡単な説明】
【００５８】
【図１】業務画面（カーソル：ＭＡＧＩＣ項目）
【図２】業務画面（カーソル：受付日項目）
【図３】調剤設計画面（カーソル：保険選択  主項目）
【図４】調剤設計画面（カーソル：保険選択  公１項目）
【図５】調剤設計画面（カーソル：薬品項目）
【図６】調剤設計画面（カーソル：薬品項目）
【図７】調剤設計画面（カーソル：患者名項目）
【図８】調剤設計画面（カーソル：患者名項目）
【図９】調剤設計画面（カーソル：生年月日項目）
【図１０】調剤設計画面（カーソル：生年月日項目）
【図１１】調剤設計画面（カーソル：電話−自宅項目）
【図１２】調剤設計画面（カーソル：医師名項目）
【図１３】調剤設計画面（カーソル：医師名項目）
【図１４】調剤設計画面（カーソル：医療機関項目）
【図１５】調剤設計画面（カーソル：科名項目）
【図１６】患者情報入力画面
【図１７】処方医入力参照画面
【図１８】医薬品入力参照画面
【図１９】患者医薬品情報入力参照画面
【図２０】薬歴前方参照画面
【図２１】薬歴前方参照画面
【図２２】薬歴前方参照画面
【図２３】メディス入力参照画面
【図２４】調剤設計明細（処方入力）入力参照画面
【図２５】データファイルメンテナンス画面
【図２６】データファイルメンテナンス画面
【図２７】データファイルメンテナンス画面
【図２８】データファイルメンテナンス画面
【図２９】データファイルメンテナンス画面
【図３０】データファイルメンテナンス（納品）画面
【図３１】データファイルメンテナンス（納品）画面
【図３２】データファイルメンテナンス（在庫管理）画面
【図３３】データファイルメンテナンス（在庫管理）画面
【図３４】アシスト画面
【図３５】アシスト画面
【図３６】在庫薬品変更参照画面
【図３７】医薬品在庫発注状況参照画面
【図３８】能書き情報参照画面
【図３９】調剤設計画面（成分名入力と商品名入力）
【図４０】調剤設計画面（成分量入力と処方量入力）
【図４１】調剤設計のフロー
【図４２】業務支援のために用意された画面の構成
【図４３】薬剤服用履歴情報表示の利用フロー
【図４４】患者情報のDB作成フロー
【図４５】患者情報のDB表示フロー
【図４６】マトリックス画面
【符号の説明】
【００５９】
４５０１・・・データ呼び出し
４５０２・・・表生成
４５０３・・・表示
【図１】
2007265444.tif 000003
【図２】
2007265444.tif 000004
【図３】
2007265444.tif 000005
【図４】
2007265444.tif 000006
【図５】
2007265444.tif 000007
【図６】
2007265444.tif 000008
【図７】
2007265444.tif 000009
【図８】
2007265444.tif 000010
【図９】
2007265444.tif 000011
【図１０】
2007265444.tif 000012
【図１１】
2007265444.tif 000013
【図１２】
2007265444.tif 000014
【図１３】
2007265444.tif 000015
【図１４】
2007265444.tif 000016
【図１５】
2007265444.tif 000017
【図１６】
2007265444.tif 000018
【図１７】
2007265444.tif 000019
【図１８】
2007265444.tif 000020
【図１９】
2007265444.tif 000021
【図２０】
2007265444.tif 000022
【図２１】
2007265444.tif 000023
【図２２】
2007265444.tif 000024
【図２３】
2007265444.tif 000025
【図２４】
2007265444.tif 000026
【図２５】
2007265444.tif 000027
【図２６】
2007265444.tif 000028
【図２７】
2007265444.tif 000029
【図２８】
2007265444.tif 000030
【図２９】
2007265444.tif 000031
【図３０】
2007265444.tif 000032
【図３１】
2007265444.tif 000033
【図３２】
2007265444.tif 000034
【図３３】
2007265444.tif 000035
【図３４】
2007265444.tif 000036
【図３５】
2007265444.tif 000037
【図３６】
2007265444.tif 000038
【図３７】
2007265444.tif 000039
【図３８】
2007265444.tif 000040
【図３９】
2007265444.tif 000041
【図４０】
2007265444.tif 000042
【図４１】
2007265444.tif 000043
【図４２】
2007265444.tif 000044
【図４３】
2007265444.tif 000045
【図４４】
2007265444.tif 000046
【図４５】
2007265444.tif 000047
【図４６】
2007265444.tif 000048